【手続補正書】
【提出日】平成19年7月19日(2007.7.19)
【手続補正１】
【補正対象書類名】明細書
【補正対象項目名】全文
【補正方法】変更
【補正の内容】
【書類名】  明細書
【発明の名称】  歩数計および生体情報データ管理システム
【特許請求の範囲】
【請求項１】  歩数を計測する歩数計測部と、少なくとも１台以上の生体情報測定機器より生体情報データを受信する歩数計受信部と、前記歩数計測部によって計測した歩数データおよび前記歩数計受信部によって受信した生体情報データを記憶する歩数計記憶部と、前記歩数計記憶部より前記歩数データおよび他の生体情報データを表示する歩数計表示部と、充電可能な電源部とを備えた歩数計。
【請求項２】  生体情報データを測定する生体情報測定部と、測定した生体情報データを送信する生体情報送信部とを備えた少なくとも１台以上の生体情報測定機器と、歩数を計測する歩数計測部と、前記生体情報測定機器より生体情報データを受信する歩数計受信部と、前記歩数計測部によって計測した歩数データおよび前記歩数計受信部によって受信した生体情報データを記憶する記憶部と、前記記憶部より前記歩数データおよび他の生体情報データを表示する歩数計表示部と、前記記憶部より前記歩数データおよび前記生体情報データを送信する送信部と充電可能な電源部とを備えた歩数計と、前記歩数計より歩数データおよび前記生体情報データを受信する端末受信部と、前記端末受信部で受信した前記歩数データおよび前記生体情報データを表示する端末表示部と、前記歩数計の電源部の充電を行う充電部とを備えた端末装置とで構成する生体情報データ管理システム。
【請求項３】  端末装置は、ネットワークを介して遠隔端末に接続するネットワーク接続部と、歩数データや生体情報データの少なくとも１つをネットワークを介して遠隔端末に送信するネットワーク通信部とを備えたことを特徴とする請求項２記載の生体情報データ管理システム。
【請求項４】  端末装置は、生体情報データを測定する生体情報測定部を備えたことを特徴とする請求項２または３記載の生体情報データ管理システム。
【発明の詳細な説明】
【０００１】
【発明の属する技術分野】
本発明は、歩数計および歩数計やその他の生体情報データを用いて生体情報データの管理を行う生体情報データ管理システムに関するものである。
【０００２】
【従来の技術】
従来、歩数計のデータとしては、歩数や運動強度とそれをもとにした歩行距離や消費カロリーを算出したものを記憶し、表示している。さらにそのデータは、特開平９−１３１２８９号公報に記載されているように赤外線通信等によってパソコン等に転送してデータの管理を行うことが考えられている。
【０００３】
また、生体情報データ管理システムとしては、特開平１１−１５１２１１号公報のように、血圧計や体温計等の生体情報測定機器からの測定データを受信して管理を行い、さらにネットワークを介して医療機関や保健センターに設置された遠隔端末へデータを送信する端末装置を用いた図５に示すようなシステムが用いられている。
【０００４】
図５において、１ａ〜１ｎは生体情報を測定する生体情報測定機器で、２は生体情報測定機器１ａ〜１ｎの測定データを入力、管理、および外部端末と通信を行う端末装置である。また、４は端末装置２と通信ネットワークとしての公衆電話回線３を介して接続される外部端末としての遠隔端末である。
【０００５】
生体情報測定機器１ａ〜１ｎの測定データは、個々に赤外線通信によって端末装置２に転送されて、端末装置２の表示部（図示せず）によって蓄積されたデータより一ヶ月のトレンド等のグラフ表示を行ったりすることで、データの管理を行う。さらに、端末装置２によって確認したデータを公衆電話回線３を介して遠隔端末４へ送信することで、遠隔端末４ではデータを解析し、専門家による健康管理、指導を行う。
【０００６】
【発明が解決しようとする課題】
しかしながら上記のような従来のデータ転送機能を設けた歩数計の構成では、歩数計に記憶されたデータはあくまで歩数や運動強度をもとにしたものであり、他の生体情報データを含まないので歩数計からのデータを端末装置や遠隔端末に送信しても生体情報データとしての管理用途は非常に限られている。
【０００７】
さらに、上記のような従来の生体情報データ管理システムの構成では、それぞれの生体情報を測定する生体情報測定機器から直接に端末装置へ生体情報データを収集していたので、端末装置に転送する時点でそれぞれの生体情報測定機器毎に送信操作を行わなければならない。
【０００８】
さらに、上記のような従来の端末装置の構成では、生体情報を測定した後で端末装置の場所に移動し、生体情報データを表示したり、生体情報データをネットワークを介して遠隔端末に送信する機能のみのために端末装置を起動する必要がある。
【０００９】
さらに、上記のような従来の生体情報機器の構成においては、生体情報を測定する以外に端末装置へのデータ送信を行うために電力を多く使うため、携帯型の生体情報機器では電源として電池を用いた場合に交換の作業が多くなる。
【００１０】
【課題を解決するための手段】
本発明は上記課題を解決するため、生体情報データを測定する生体情報測定部と、測定した生体情報データを送信する生体情報送信部とを備えた少なくとも１台以上の生体情報測定機器と、歩数を計測する歩数計測部と、前記生体情報測定機器より生体情報データを受信する歩数計受信部と、前記歩数計測部によって計測した歩数データおよび前記歩数計受信部によって受信した生体情報データを記憶する記憶部と、前記記憶部より前記歩数データおよび他の生体情報データを表示する歩数計表示部と、前記記憶部より前記歩数データおよび前記生体情報データを送信する送信部と、充電可能な電源部とを備えた歩数計と、前記歩数計より歩数データおよび前記生体情報データを受信する端末受信部と、前記端末受信部で受信した前記歩数データおよび前記生体情報データを表示する端末表示部と、ネットワークを介して遠隔端末に接続するネットワーク接続部と、歩数データや生体情報データの少なくとも１つをネットワークを介して遠隔端末に送信するネットワーク通信部とを備えた端末装置とで構成するものである。これによって、生体情報測定機器からの生体情報データを常に携帯する歩数計のみで記憶、管理して、記憶したデータを端末装置や遠隔端末へ送信して、生体情報データを管理することができる。
【００１１】
【発明の実施の形態】
本発明の請求項１にかかる歩数計は、歩数を計測する歩数計測部と、少なくとも１台以上の生体情報測定機器より生体情報データを受信する歩数計受信部と、前記歩数計測部によって計測した歩数データおよび前記歩数計受信部によって受信した生体情報データを記憶する歩数計記憶部と、前記歩数計記憶部より前記歩数データおよび他の生体情報データを表示する歩数計表示部と、充電可能な電源部とを備えたものである。そして、常に携帯している歩数計を用いて他の生体情報測定機器によって測定した生体情報データを記憶し、それぞれの生体情報データを歩数計のみによって表示を行うことができるため、固定設置された端末を必要とせずにどこででも必要なで生体情報データを表示してより詳しく健康管理を行うことができる。
【００１２】
本発明の請求項２にかかる生体情報データ管理システムは、生体情報データを測定する生体情報測定部と、測定した生体情報データを送信する生体情報送信部とを備えた少なくとも１台以上の生体情報測定機器と、歩数を計測する歩数計測部と、前記生体情報測定機器より生体情報データを受信する歩数計受信部と、前記歩数計測部によって計測した歩数データおよび前記歩数計受信部によって受信した生体情報データを記憶する記憶部と、前記記憶部より前記歩数データおよび他の生体情報データを表示する歩数計表示部と、前記記憶部より前記歩数データおよび前記生体情報データを送信する送信部と、充電可能な電源部とを備えた歩数計と、前記歩数計より歩数データおよび前記生体情報データを受信する端末受信部と、前記端末受信部で受信した前記歩数データおよび前記生体情報データを表示する端末表示部と、前記歩数計の電源部の充電を行う充電部とを備えた端末装置とを備えたものである。そして、歩数計のみを情報端末に接続することで歩数計に記憶しているすべての生体情報データを情報端末によって表示、解析を行うことができるので、他の生体情報測定機器と情報端末が離れた場所にあっても、詳しく健康管理を行うことができる。
【００１３】
また、歩数計が充電可能な電源部を備え、端末装置が前記歩数計の電源部の充電を行う充電部を備えたことにより、歩数計と端末装置を接続した時に歩数計の電源部の充電を行うので、歩数計の動作電力が若干多くても定期的に端末装置に接続することで歩数計の電源交換の必要がない。
【００１４】
本発明の請求項３にかかる生体情報データ管理システムは、請求項２の端末装置が、ネットワークを介して遠隔端末に接続するネットワーク接続部と、歩数データや生体情報データの少なくとも１つをネットワークを介して遠隔端末に送信するネットワーク通信部とを備えたことを特徴とするものである。そして、歩数計のみを情報端末に接続することで歩数計に記憶しているすべての生体情報データを情報端末によって表示したり、遠隔端末へ送信して解析し、専門家による健康管理や指導を行う場合に、より詳しい管理や指導教授を受けることができる。
【００１５】
本発明の請求項４にかかる生体情報データ管理システムは、請求項２または３の端末装置が、生体情報データを測定する生体情報測定部を備えたことを特徴とするものである。そして、端末装置の起動から生体情報の測定、一日分の全生体情報データを表示して確認し、遠隔端末への生体情報の送信を行うまでが一連の作業として行えるため、操作および移動の手間を省くことができる。
【００１６】
【実施例】
以下、本発明の実施例について図面を用いて説明する。
【００１７】
（実施例１）
図１は本発明の実施例１の生体情報データ管理システムである。また、図２はこの生体情報データ管理システムに用いる歩数計５のブロック構成図、図３は血圧計、体温計、体重計等のその他の生体情報測定機器１ａ〜１ｎのブロック構成図、図４は端末装置２のブロック構成図である。
【００１８】
歩数計５は図２のブロック構成図に示すように、歩数を計測する歩数計測部１０と、歩数計測部１０で測定した歩数データを記憶する歩数計記憶部１２と、歩数計測部１０で測定した歩数データを表示する液晶等で構成した歩数計表示部１１と、生体情報測定機器１ａ〜１ｎからの生体情報データを受信する歩数計受信部１３と、操作スイッチやマイコンを備えて歩数データや生体情報データの歩数計記憶部１２への書き込み制御や歩数計表示部１１への表示制御などの各部を制御する歩数計制御部１４とで構成されている。
【００１９】
生体情報測定機器１ａは図３のブロック構成図に示すように、生体情報を計測する生体情報計測部１５ａと、生体情報計測部１５ａで測定した生体情報データを表示する液晶等で構成した生体情報表示部１６ａと、生体情報計測部１５ａで測定した生体情報データを記憶する生体情報記憶部１７ａと、生体情報記憶部１７ａに記憶した生体情報データを歩数計５へ送信する生体情報送信部１８ａと、操作スイッチとマイコンを備えて生体情報データの生体情報記憶部１７ａへの書き込み制御や生体情報表示部１６ａへの表示制御などの各部を制御する生体情報制御部１９ａとで構成される。
【００２０】
生体情報測定機器１ａ〜１ｎの生体情報測定部１５ａ〜１５ｎは、血圧計、体温計など測定機器によってそれぞれの生体情報の測定を行う部分で、生体情報測定機器１ａ〜１ｎでそれぞれ異なったものである。
【００２１】
生体情報送信部１８ａ〜１８ｎは、すべてが歩数計受信部１３へ生体情報データを送信する機能を有するものであるため、すべての生体情報測定機器１ａ〜１ｎにおいて共通の規格での通信を行うものである。送受信の方法としては、電線コードを用いて有線接続にすれば比較的安価に構成できるし、赤外線通信等の無線通信にすれば通信時に接続する手間を省略することができる。
【００２２】
端末装置２は図４のブロック構成図に示すように、生体情報データを記憶した歩数計５を接続して生体情報データの読み出しを行う端末受信部２０と、歩数計５より読み出したデータを表示する液晶等で構成した端末表示部２１と、歩数計５より読み出したデータを記憶する端末記憶部２２と、通信ネットワークとしての公衆電話回線３へ端末記憶部２２に記憶した生体情報データを送出するネットワーク通信部２３と、操作スイッチとマイコンを備えて各部の制御を行い歩数計５より読み出したデータを管理する管理機能や公衆電話回線３を介して電話番号をダイヤリングして遠隔端末４との接続を行うネットワーク接続機能を有する端末制御部２４とで構成される。
【００２３】
ネットワーク通信部２１は、通信ネットワークとして公衆電話回線３を用いているため公衆電話回線用モデムで構成すればよく、他の通信ネットワークを用いた場合は、例えばＣＡＴＶ回線を用いればケーブルモデムまたはそれに接続する１０ＢＡＳＥ−ＴのＬＡＮインタフェースという様に、通信ネットワークに応じた構成とすればよい。
【００２４】
次に、図１の生体情報データ送信システムの動作手順について図１から図４をもとに説明する。
【００２５】
図２の歩数計５は、使用者が腰のベルト等につけることで携帯し、歩数計測部１０により使用者の歩数の計測を行い、歩数計制御部１４は歩数計測部１０によって計測した歩数を受けて、歩数計表示部１１に表示する。また、歩数計記憶部１２に歩数データの書き込みを行う。
【００２６】
図３の生体情報計測機器１ａでの測定を行うときは、歩数計５の歩数受信部１３と生体情報測定機器１ａの生体情報送信部１８ａを接続する。生体情報測定部１５ａによって生体情報を測定すると、生体情報制御部１９ａは生体情報測定部１５ａによって測定した生体情報を受けて、生体情報表示部１６ａに表示する。また、生体情報記憶部１７ａに測定した生体情報データを書き込む。測定が終了すると、生体情報制御部１８ａの操作スイッチによって操作を行って生体情報送信部１８ａを介して歩数計５へ生体情報１７ａから生体情報データを転送する。
【００２７】
歩数計５では、歩数計受信部１３より生体情報測定機器１ａからの生体情報データを受信し、歩数計制御部１４によって歩数計記憶部１２へ書き込む。
【００２８】
生体情報測定機器１ｂ〜１ｎも同様にして歩数計５を接続して生体情報を測定することで、歩数計５にそれぞれの生体情報が書き込まれる。ただし、生体情報測定機器は１台であってもよいし、複数の機器であってもよい。
【００２９】
歩数計記憶部１２の記憶する生体情報データは、生体情報測定機器名と測定した生体情報データであり、生体情報測定機器名は機器品種（例えば「血圧計」、「体温計」など）や機器品番（例えば「ＤＭ−Ｂ５」、「ＤＭ−Ｔ２」など）のように測定内容が識別できる識別子であればよく、生体情報データは１つの機器で複数の測定データがある場合は、内容識別子（例えば血圧計ならば「最高血圧」、「最低血圧」、「脈拍」など）と測定データを組みにして複数のデータの内容を識別できるようにする。なお、各識別子のデータフォーマットは上記のような文字データに限らず、略語や数字等により対応させてもよい。
【００３０】
生体情報の測定が完了し、生体情報を端末装置２に送信するときは、携帯している歩数計５を端末装置２に接続し、歩数計制御部１４の操作スイッチによって歩数計記憶部１２の生体情報データの端末装置２への送信を行う。端末装置２では、端末受信部２０によって歩数計５からの生体情報データを受信し、端末制御部２４の制御によって受信した生体情報データを端末記憶部２２へ書き込む。
【００３１】
生体情報データを受信した端末装置２においては、端末制御部２４の操作スイッチによって端末記憶部部２２に記憶された生体情報測定機器名と生体情報データを読み出して、端末表示部２１に一覧表示したり、蓄積されたデータより一ヶ月のトレンド等のグラフ表示を行ったりする。
【００３２】
端末装置２より遠隔端末４へ生体情報データを送信するときは、端末制御部２４によって公衆電話回線３より遠隔端末４の電話番号をダイヤリングして遠隔端末４への接続を行い、端末表示部２１に表示した生体情報測定機器名と生体情報内容をネットワーク通信部２３より公衆電話回線３を介して遠隔端末４への送信を行う。
【００３３】
そして、本実施例における歩数計は、常時個人で携帯する歩数計を生体情報測定機器に接続して測定したデータを書き込んでいくので、歩数計上にすべての生体情報データを集めることができ、個人毎のデータ管理を自ずと行うことができる。
【００３４】
また、端末装置への生体情報データの転送も携帯している歩数計を端末装置へ接続することで個人のすべての生体情報データ転送が行えるため、生体情報データの転送が一度で済み、かつ個人のデータ管理を自ずと行うことができる。
【００３５】
そして、遠隔端末への生体情報データの転送も携帯している歩数計のみを端末装置へ接続することネットワークを介して個人のすべての生体情報データ転送が行えるため、生体情報データの転送が一度で済み、かつ個人のデータ管理を自ずと行うことができる。
【００３６】
なお、本実施例における端末装置にさらに生体情報測定の機能を備えれば、例えば一日の最後に生体情報を測定する端末装置として起動を行い、生体情報の測定、一日分の全生体情報データを表示して確認し、遠隔端末への生体情報の送信を行うまでが一連の作業として行えるため、操作および移動の手間を省くことができる。
【００３７】
また、歩数計は携帯型であるため電源として電池を用いる場合、端末装置を歩数計の電池の充電器を兼ねて歩数計と端末装置を接続した時に歩数計の電池の充電を行うこととすれば、例えば毎晩の定期的な生体情報データの遠隔端末への送信時に端末装置に接続するときに歩数計の充電も行うので、歩数計の消費電力が大きくても頻繁な電池交換をする必要がないし、充電を忘れることもない。
【００３８】
【発明の効果】
以上説明したように本発明の請求項１に係る歩数計は、常に携帯している歩数計を用いて他の生体情報測定機器によって測定した生体情報データを記憶し、それぞれの生体情報データを歩数計のみによって表示を行うことができるため、固定設置された端末を必要とせずにどこででも必要な生体情報データを表示してより詳しく健康管理を行うことができる。
【００３９】
また、本発明の請求項２に係る生体情報データ管理システムは、歩数計のみを情報端末に接続することで歩数計に記憶しているすべての生体情報データを情報端末によって表示、解析を行うことができるので、他の生体情報測定機器と情報端末が離れた場所にあっても、詳しく健康管理を行うことができる。
【００４０】
また、歩数計と端末装置を接続した時に歩数計の電源部の充電を行うので、歩数計の動作電力が若干多くても定期的に端末装置に接続することで歩数計の電源交換の必要がない。
【００４１】
また、本発明の請求項３に係る生体情報データ管理システムは、歩数計のみを端末装置に接続することで歩数計に記憶しているすべての生体情報データを端末装置によって表示したり、遠隔端末へ送信して解析し、専門家による健康管理や指導を行う場合に、より詳しい管理や指導教授を受けることができる。
【００４２】
また、本発明の請求項４の生体情報データ管理システムは、端末装置の起動から生体情報の測定、一日分の全生体情報データを表示して確認し、遠隔端末への生体情報の送信を行うまでが一連の作業として行えるため、操作および移動の手間を省くことができる。
【図面の簡単な説明】
【図１】
本発明の実施例１における生体情報データ管理システムの全体構成図
【図２】
本発明の実施例１における歩数計のブロック構成図
【図３】
本発明の実施例１における生体情報測定機器のブロック構成図
【図４】
本発明の実施例１における端末装置のブロック構成図
【図５】
従来例における生体情報データ管理システムの全体構成図
【符号の説明】
１  生体情報測定機器
２  端末装置
３  公衆電話回線
４  遠隔端末
５  歩数計
１０  歩数計測部
１１  歩数計表示部
１２  歩数計記憶部
１３  歩数計受信部
１４  歩数計制御部
１５  生体情報測定部
１６  生体情報表示部
１７  生体情報記憶部
１８  生体情報送信部
１９  生体情報制御部
２０  端末送信部
２１  端末表示部
２２  端末記憶部
２３  ネットワーク通信部
２４  端末制御部（ネットワーク接続部を含む）